【事件の表示】
　特願２０００−３３３２５５「弾球遊技機」拒絶査定不服審判事件〔平成１３年　６月１２日出願公開、特開２００１−１５７７３８〕について、次のとおり審決する。
【結　論】
　本件審判の請求は、成り立たない。
【理　由】
第１，手続きの経緯
　本願は、平成５年１１月５日に出願した特願平５−２７７０９４号の一部を平成１２年１０月３１日に新たな出願としたものであって、平成１７年１１月２９日付けで拒絶査定がなされ、これに対し、同年１２月２９日に拒絶査定に対する審判請求がなされるとともに平成１８年１月３０日受付けで手続補正がなされたものである。
　
第２，本願発明
　本願の請求項１に係る発明は、上記平成１８年１月３０日受付けで全文補正された明細書の記載からみて、その特許請求の範囲の請求項１に記載された次のとおりのものである。
　【請求項１】遊技制御部と、図柄表示装置と、大入賞口と、振り分け装置とを備え、
　前記図柄表示装置を、遊技盤表面に配設し、
　前記大入賞口を、遊技盤表面であって前記図柄表示装置の直下に配設し、
　前記振り分け装置を、前記図柄表示装置の下方の遊技盤裏面であって、前記大入賞口を避けた位置に配設し、
　前記振り分け装置には、打球を運搬して特別領域または非特別領域に振り分け可能な凹部を外周面に形成した回転体と、
　前記振り分け装置内に入って前記回転体の外周面に保留された打球を検出する第１のスイッチと、前記特別領域に振り分けられた打球を検出する第２のスイッチを備え、
　前記遊技制御部は、
　（ａ）前記第１のスイッチが前記振り分け装置内に入った打球を検出すると、前記図柄表示装置で図柄の変動表示を実行し、
　（ｂ）前記図柄表示装置の図柄が所定の表示態様になると、前記回転体を回転させて前記外周面に保留していた打球を前記凹部に受け入れて運搬して前記特別領域に振り分け、前記第２のスイッチが打球を検出すると前記大入賞口を開放することが可能な遊技状態である特別入賞状態をセットし、
　（ｃ）前記図柄表示装置の図柄が所定の表示態様以外の表示態様になると、前記回転体を回転させて前記外周面に保留していた打球を前記凹部に受け入れて運搬して前記非特別領域に振り分け、
　（ｄ）前記特別入賞状態がセットされた状態が継続しているときに、前記第２のスイッチが打球を検出すると、前記特別入賞状態をリセットする制御を行う構成とした弾球遊技機。（以下「本願発明」という）
　
第３，刊行物に記載された発明
　これに対して、原査定の拒絶の理由に引用された、特開平４−３２９９８１号公報（以下、「引用刊行物」という）には、次の事項が記載されていると認められる。
　
　（あ）「【０００６】
【実施例】・・・まず、図７及び図８を参照して実施例に係る弾球遊技機の遊技盤１の構成について説明する。図７は、遊技盤１の遊技領域３の構成を示す正面図であり、図８は、遊技盤１の背面図である。図７において、遊技盤１のほぼ円状に設けられた区画レール２が遊技領域３として構成され、該遊技領域３のほぼ中央に本実施例の要部を構成する特別入賞装置２０が配置されている。特別入賞装置２０は、可変表示装置３３を構成する複数（３つ）の可変表示器３３ａ〜３３ｃと可変入賞球装置を構成する一対の玉受部材５０ａ，５０ｂと、を含み、可変表示装置３３の表示結果が予め定めた表示結果となった場合（正確には、後述する特定入賞口４３に打玉が誘導されて特定入賞玉検出器４５をＯＮさせたとき）に、権利発生遊技状態を生起せしめるようになっている。・・・」、
　（い）「【０００９】更に、上記チャッカー入賞口７ａ，７ｂの中間に配置される入賞口８は、始動入賞口８と言われるもので、始動入賞玉検出器１２を内蔵している。しかして、上記した権利発生遊技状態中に打玉が始動入賞口８に入賞して始動入賞玉検出器１２をＯＮさせると、特別入賞装置２０に設けられる可変入賞球装置を構成する玉受部材５０ａ，５０ｂが一定時間（例えば、９．８秒）が経過するまで、又はその一定時間が経過するまでの間に所定個数（例えば、１０個）の入賞玉が発生するまで開放する。なお、権利発生遊技状態中でないときに打玉が始動入賞口８に入賞した時には、単なる入賞として扱われる。
【００１０】ここで、権利発生遊技状態における遊技内容を簡単に説明すると、前記したように、可変表示装置３３の表示結果が予め定められた表示結果となって打玉が特定入賞口４３に誘導され特定入賞玉検出器４５をＯＮさせると、権利発生遊技状態（制御的には、特別装置が作動すると言う）となる。そして、権利発生遊技状態が継続しているときに、打玉が始動入賞口８に入賞して始動入賞玉検出器１２をＯＮさせると、玉受部材５０ａ，５０ｂが上述した開放動作を行う。そして、そのような開放動作は、権利発生遊技状態が継続している限り、打玉が始動入賞口８に入賞する毎に繰り返される。
ただし、権利発生遊技状態の継続は、権利発生遊技状態中に再度可変表示装置３３の表示結果が予め定められた表示結果となって打玉が特定入賞口４３に誘導され特定入賞玉検出器４５をＯＮさせたとき、又は、始動入賞口８に所定個数（例えば、１６個）の打玉が入賞したときに終了するようになっている。」、
　（う）「【００１４】次に、遊技領域３の中央に配置される特別入賞装置２０の構成について図１乃至図４を参照して説明する。図１は、特別入賞装置２０の正面図であり、図２は、特別入賞装置２０を正面から見た斜視図である。図において、特別入賞装置２０は、前記遊技盤１の表面に取り付けられる取付基板２１を有し、その取付基板２１の上部に楕円形状の障害受部２２が突設されている。障害受部２２の中央には、打玉を受け入れる受入口２３が形成されている。受入口２３に受け入れられた打玉は、取付基板２１の後方から下方に向けて誘導する貯留通路２４を下って再度取付基板２１の前面側に現れ、後述する回転体３６に当接して停止する。・・・
【００１５】上記した回転体３６に当接して停止した打玉は、通過玉検出器２６の中に停留した状態となり、通過玉検出器２６によって検出される。通過玉検出器２６がＯＮすると、後述する可変表示装置３３を構成する可変表示器３３ａ〜３３ｃの可変表示動作（以下、変動という）が停止して、表示結果を導出する。・・・」、
　（え）「【００１７】図１に戻って、前記障害受部２２の下方には、囲い枠３４が突設され、該囲い枠３４の内部に可変表示装置３３が設けられている。可変表示装置３３は、複数の可変表示器３３ａ〜３３ｃによって構成され、電源投入時から変動表示しており、前記通過玉検出器２６のＯＮに基づいて順次停止するようになっている。・・・そして、それらの停止時の図柄の組合せがすべて同一数字となったときには、当りと判定されて後述する回転体３６が時計方向に回転される。一方、停止時の図柄の組合せが同一数字の組合せでないときには、外れと判定されて回転体３６が反時計方向に回転される。・・・
【００１８】ところで、前記通過玉検出器２６の下方には、回転体３６が配置され、該回転体３６の外周一か所に玉受部３７が形成されている。・・・
【００１９】上記した駆動モータ３８は、電源投入時に停止位置検出器４２がＯＮする位置まで回転してその状態で停止する。即ち、玉受部３７が下方に位置した状態で停止している。このため、回転体３６の玉受部以外の外周が前記通過玉検出器２６に対面した状態となっているので、受け入れ口２３から受け入れられて貯留通路２４を流下してきた打玉は、回転体３６の外周に当接して通過玉検出器２６の内部で停止した状態となっており、連続して受け入れられた打玉も貯留通路２４内に貯留された状態となっている。このため、回転体３６の玉受部３７を除く外周は、貯留通路２４に貯留されている打玉を停止する停止手段を構成している。しかして、通過玉検出器２６に入った打玉Ｐ１によって可変表示器３３ａ〜３３ｃの変動表示が停止されると、その表示結果に基づいて駆動モータ３８がいずれかの方向に回転する。駆動モータ３８が回転を開始すると玉受部３７も回転し、玉受部３７が通過玉検出器２６の位置に来たときに、通過玉検出器２６に入っていた打玉Ｐ１を受け入れてそのまま回転し、取付基板２１に開設された特定入賞口４３又は通常入賞口４４と合致したときに玉受部３７から打玉が流出する。その後、更に回転して停止位置検出器４２が切欠部４１を検出してＯＮとなったときに駆動モータ３８の回転が停止される。」、
　（お）「【００２２】上記した入賞個数表示ＬＥＤ４７の外側の取付基板２１には、円弧状の装飾部材４９が突設され、該装飾部材４９に連続するように一対の玉受部材５０ａ，５０ｂが設けられている。玉受部材５０ａ，５０ｂは、可変入賞球装置を構成するもので、その下端部を回転軸５１ａ，５１ｂで軸支され、該回転軸５１ａ，５１ｂの後端を図８に示す作動部材５２を介して開閉ソレノイド５３ａ，５３ｂに連結されている。しかして、開閉ソレノイド５３ａ，５３ｂがＯＮしたときには、玉受部材５０ａ，５０ｂが開放され、遊技領域３を落下する打玉を受け入れて入賞玉とし、その入賞玉を図８に示す入賞玉検出器５４によって検出している。なお、本実施例においては、可変入賞球装置を構成する玉受部材５０ａ，５０ｂを特別入賞装置２０と一体的に設けたものを示したが、これを別体に構成して遊技盤１に配置しても良い。同様に可変表示装置３３も特別入賞装置２０と別体に構成して配置しても良い。」、
　（か）「【００２６】上記した遊技制御回路によって制御される遊技動作について、図１０乃至図２５を参照して説明する。まず、図１０は、打玉が通過玉検出器２６をＯＮさせたときの可変表示器３３ａ〜３３ｃの変動状態を示すタイミングチャートであり、このタイミングチャートを説明するために図１１乃至図１４を補助的に使用する。まず、３つの可変表示器３３ａ〜３３ｃ（以下、７セグＡ〜Ｃという）は、図１１に示すように、７セグＡと７セグＢとが０〜５の図柄を順次可変表示し、７セグＣが０〜９の図柄を順次可変表示している。そして、打玉が通過玉検出器２６をＯＮさせる前には、図１２に示す変動速度で変動表示している。・・・
【００２７】上記した前提において図１０のタイミングチャートについて説明すると、通過玉検出器２６が打玉を検出して、通過信号Ｑ１を導出すると、それまで変動速度Ａで変動していたすべての７セグＡ〜Ｃが変動速度Ｂとなる。そして、基本時間（０．５００秒）＋停止時間Ａが経過すると、まず７セグＡが変動を停止する。・・・また、７セグＡの変動が停止してから更に基本時間（０．５００秒）＋停止時間Ａが経過すると、７セグＢが変動を停止する。・・・更に、リーチ状態でない時には、７セグＢの変動が停止してから基本時間（０．５００秒）＋停止時間Ｂが経過すると、７セグＣが変動を停止する。・・・
【００２８】一方、７セグＡと７セグＢとの表示結果がリーチ状態となった時には、７セグＣは、上記した予想停止時間から更に基本時間（３．０００秒）＋停止時間Ｃが経過してから変動を停止する。・・・
【００２９】上記のようにして、可変表示装置３３が表示結果を導出したときには、回転体３６の駆動モータ３８が回転を開始するが、そのタイミングチャートを図１５に示す。・・・」、
　（き）「【００３２】以上のようにして３つの７セグＡ〜Ｃに表示される図柄の組合せが当りの場合には、駆動モータ３８が時計方向に回転して先頭の玉を玉受部３７に受け入れ、特定入賞口４３に誘導して特定入賞玉検出器４５をＯＮさせる。一方、図柄の組合せが外れの場合には、駆動モータ３８が反時計方向に回転して先頭の玉を玉受部３７に受け入れて、通常入賞口４４に誘導する。しかして、特定入賞玉検出器４５がＯＮしたときには、発生信号Ｒ１が導出されて図１９に示すように、特別装置が作動し、権利発生遊技状態となる。
【００３３】また、権利発生遊技状態が継続している状態において、打玉が始動入賞口８に入賞して始動入賞玉検出器１２をＯＮさせて始動信号Ｓ１を導出すると、図２０に示すように、可変入賞球装置を構成する玉受部材５０ａ，５０ｂの開閉ソレノイド５３ａ，５３ｂが一定時間（９．８００秒）ＯＮする。・・・」。
　
　（く）また、図面、特に【図１】乃至【図８】には、「可変入賞球装置を構成する一対の玉受部材５０ａ，５０ｂ」を遊技盤１表面であって「可変表示装置３３を構成する３つの可変表示器３３ａ〜３３ｃ」の下方に配設したこと、回転体３６及び通過玉検出器２６を可変表示装置３３の下方であって可変入賞球装置を避けた位置に配設したこと及び「回転体３６の外周一か所に形成された玉受部３７」が凹形状であることが示されている。
　
　そして、上記【００２２】における「可変表示装置３３及び可変入賞球装置を特別入賞装置２０と別体に構成して遊技盤１に配置しても良い。」との記載に基づいて、上記（あ）乃至（く）の記載事項を併せると、
　引用刊行物には、
　「遊技制御回路と、３つの可変表示器３３ａ〜３３ｃによって構成される可変表示装置３３と、一対の玉受部材５０ａ，５０ｂによって構成される可変入賞球装置と、回転体３６及び通過玉検出器２６並びに特定入賞玉検出器４５とを備え、
　前記可変表示装置３３を、遊技盤１表面に取り付け、
　前記可変入賞球装置を、遊技盤１表面であって前記可変表示装置３３の下方に配設し、　
　前記回転体３６及び通過玉検出器２６を、前記可変表示装置３３の下方であって、前記可変入賞球装置を避けた位置に配設し、
　前記回転体３６には、打玉を受け入れてそのまま時計方向又は反時計方向のいずれかの方向に回転し特定入賞口４３又は通常入賞口４４と合致したときに打玉が流出する凹形状の玉受部３７を外周に形成し、
　前記通過玉検出器２６の中に停留し前記回転体３６の外周に当接して停止した打玉を検出する通過玉検出器２６と、前記特定入賞口４３に誘導された打玉がＯＮさせる特定入賞玉検出器４５を備え、
　前記遊技制御回路は、
　（ａ）前記通過玉検出器２６が前記通過玉検出器２６の中に停留した打玉を検出すると、電源投入時から変動表示している前記可変表示装置３３の図柄の変動表示を順次停止させ、
　（ｂ）前記可変表示装置３３の停止時の図柄の組合せがすべて同一数字となったときには、前記回転体３６を時計方向に回転させて前記外周に当接して停止していた打玉を前記凹形状の玉受部３７に受け入れてそのまま回転して前記特定入賞口４３に誘導し、前記特定入賞玉検出器４５を打玉がＯＮさせると権利発生遊技状態を生起せしめ、権利発生遊技状態が継続している状態において、打玉が始動入賞口８に入賞すると、可変入賞球装置が開放動作を行い、
　（ｃ）前記可変表示装置３３の停止時の図柄の組合せが同一数字の組合せでないときには、前記回転体３６を反時計方向に回転させて前記外周に当接して停止していた打玉を前記凹形状の玉受部３７に受け入れてそのまま回転して前記通常入賞口４４に誘導し、
　（ｄ）前記権利発生遊技状態の継続は、権利発生遊技状態中に打玉が前記特定入賞玉検出器４５をＯＮさせたときに終了する制御を行う弾球遊技機。」の発明（以下「引用発明」という）が、記載されていると認められる。
　　
第４，本願発明と引用発明との比較・検討　
　引用発明の「遊技制御回路」は本願発明の「遊技制御部」に相当し、以下同様に「可変表示装置３３」は「図柄表示装置」に、「可変入賞球装置」は「大入賞口」に、「遊技盤１」は「遊技盤」に、「打玉」は「打球」に、「受け入れてそのまま時計方向又は反時計方向のいずれかの方向に回転し流出」は「運搬して振り分け可能」に、「特定入賞口４３」は「特別領域」に、「通常入賞口４４」は「非特別領域」に、「凹形状の玉受部３７」は「凹部」に、「回転体３６」は「回転体」に、「当接して停止」は「保留」に、「通過玉検出器２６」は「第１のスイッチ」に、「誘導された」は「振り分けられた」に、「打玉がＯＮさせる」は「打球を検出する」に、「特定入賞玉検出器４５」は「第２のスイッチ」に、「停止時の図柄の組合せがすべて同一数字となったとき」は「図柄が所定の表示態様になると」に、「停止時の図柄の組合せが同一数字の組合せでないとき」は「図柄が所定の表示態様以外の表示態様になると」に、「弾球遊技機」は「弾球遊技機」に、それぞれ相当する。また、引用発明の「権利発生遊技状態を生起せしめ、権利発生遊技状態が継続している状態において、打玉が始動入賞口８に入賞すると、可変入賞球装置が開放動作を行い」との技術事項は本願発明の「大入賞口を開放することが可能な遊技状態である特別入賞状態をセット」との技術事項に、同様に「権利発生遊技状態の継続は、権利発生遊技状態中に打玉が特定入賞玉検出器４５をＯＮさせたときに終了する」との技術事項は「特別入賞状態がセットされた状態が継続しているときに、第２のスイッチが打球を検出すると、特別入賞状態をリセットする」との技術事項に、それぞれ相当する。そして、引用発明の「回転体３６及び通過玉検出器２６並びに特定入賞玉検出器４５」について検討すると、本願発明の「振り分け装置」は「回転体」と「第１のスイッチ」と「第２のスイッチ」とを備えるものであるから、上記「回転体３６及び通過玉検出器２６並びに特定入賞玉検出器４５」は「振り分け装置」と表現することができる。また、「通過玉検出器２６」は「振り分け装置」の一部を構成するのであるから、引用発明の「通過玉検出器２６の中に停留し」との事項は、その機能及び作用から見て「振り分け装置内に入って」との事項と比較しても技術的な差異は認められない。そうすると、両者の一致点及び相違点は次のとおりである。
　
　一致点
　遊技制御部と、図柄表示装置と、大入賞口と、振り分け装置とを備え、
　前記図柄表示装置を、遊技盤表面に配設し、
　前記大入賞口を、遊技盤表面であって前記図柄表示装置の下方に配設し、
　前記振り分け装置のうちの回転体及び第１のスイッチを、前記図柄表示装置の下方であって、前記大入賞口を避けた位置に配設し、
　前記振り分け装置には、打球を運搬して特別領域または非特別領域に振り分け可能な凹部を外周面に形成した回転体と、
　前記振り分け装置内に入って前記回転体の外周面に保留された打球を検出する第１のスイッチと、前記特別領域に振り分けられた打球を検出する第２のスイッチを備え、
　前記遊技制御部は、
　（ａ）前記図柄表示装置で図柄の変動表示を実行し、
　（ｂ）前記図柄表示装置の図柄が所定の表示態様になると、前記回転体を回転させて前記外周面に保留していた打球を前記凹部に受け入れて運搬して前記特別領域に振り分け、前記第２のスイッチが打球を検出すると前記大入賞口を開放することが可能な遊技状態である特別入賞状態をセットし、
　（ｃ）前記図柄表示装置の図柄が所定の表示態様以外の表示態様になると、前記回転体を回転させて前記外周面に保留していた打球を前記凹部に受け入れて運搬して前記非特別領域に振り分け、
　（ｄ）前記特別入賞状態がセットされた状態が継続しているときに、前記第２のスイッチが打球を検出すると、前記特別入賞状態をリセットする制御を行う構成とした弾球遊技機。
　
　相違点
　（Ａ）大入賞口を、本願発明では図柄表示装置の直下に配設したのに対し、引用発明では図柄表示装置の下方に配設した点
　（Ｂ）本願発明では、振り分け装置を、図柄表示装置の下方の遊技盤裏面であって、大入賞口を避けた位置に配設したのに対し、引用発明では振り分け装置のうちの一部の部材を、図柄表示装置の下方であって、大入賞口を避けた位置に配設した点
　（Ｃ）図柄の変動表示が、本願発明では第１のスイッチが振り分け装置内に入った打球を検出すると実行されるのに対し、引用発明では電源投入時から変動表示しており打球を検出すると順次停止させる点
　
　そこで、上記相違点について検討する。
　相違点（Ａ）について
　遊技盤表面に入賞口や図柄表示装置をどのように配設するかは遊技盤面での打球の挙動や遊戯の興趣を考慮して当業者が適宜なし得る設計上の事項であるから、構成部材の相互の配設位置を限定し、相違点（Ａ）に係る本願発明を特定する事項とすることは、当業者が容易になし得ることである。
　相違点（Ｂ）について
　遊技者への表示や演出の必要性のないものを遊技盤裏面に配設することは当該分野において普通に採用されている技術事項である。また、回転体や各種スイッチを遊技盤に対してどのように配設するかは他の部材との関連性や配設上のバランス、製造時や点検時の容易性などを考慮して当業者が適宜なし得る設計上の事項である。したがって、構成部材の遊技盤に対する配設位置を限定し、相違点（Ｂ）に係る本願発明を特定する事項とすることは、当業者が容易になし得ることである。
　相違点（Ｃ）について
　スイッチが打球を検出すると図柄の変動表示が実行されることは、例えば、いわゆる「第１種」の弾球遊技機における図柄の変動が始動口への入賞を検出すると実行されるように当該分野においては、周知・慣用の技術であるから、図柄の変動表示の実行の契機をスイッチの検出に限定し、相違点（Ｃ）に係る本願発明を特定する事項とすることは、当業者が容易になし得ることである。
　
　そして、本願発明による効果も、引用発明と比較して格別のものは認められない。
　
　したがって、本願発明は、引用発明に基づいて当業者が容易に発明をすることができたものである。
　
第５，むすび
　以上のとおり、本願発明は、引用発明に基づいて当業者が容易に発明をすることができたものであるから、特許法第２９条第２項の規定により、特許を受けることができない。
　よって、結論のとおり審決する。